(57)【要約】【課題】軒樋の設置箇所の多くの傾斜角に対応することができる軒樋吊具を提供する。【解決手段】家屋の軒先に設置され、軒樋前耳部（上段前耳部３４Ａ、下段前耳部３４Ｂ）と軒樋後耳部３５とを有する軒樋Ｔを支える軒樋吊具Ｈにおいて、軒先から外方に向けて突出するように延在する吊具本体１と、吊具本体１の家屋の屋外側の前端に位置するとともに、軒樋Ｔの上段前耳部３４Ａ及び下段前耳部３４Ｂを係止する吊り部２と、吊具本体１の後側に位置し、かつ上下方向に配置され、軒樋Ｔの軒樋後耳部３５を係合する上段保持部４Ａ、下段保持部４Ｂと、が設けられる。【選択図】図４
2015183494.tif 000002
【特許請求の範囲】
【請求項１】
家屋の軒先に設置され、軒樋前耳部と軒樋後耳部とを有する軒樋を支える軒樋吊具であって、
前記軒先から外方に向けて突出するように延在する吊具本体と、
該吊具本体の前記家屋の屋外側の前端に位置するとともに、前記軒樋の軒樋前耳部を係止する吊り部と、
前記吊具本体の後側に位置し、かつ上下方向に配置され、前記軒樋の軒樋後耳部を係合する複数の保持部と、
を備えることを特徴とする軒樋吊具。
【請求項２】
前記保持部は、前側に窪んだ段状に形成されていることを特徴とする請求項１に記載の軒樋吊具。
【請求項３】
前記保持部からさらに後側に所定の距離を保った位置には、当該保持部に対向し、かつ前記吊具本体から下向きに突出した押え片が設けられていることを特徴とする請求項２に記載の軒樋吊具。
【請求項４】
前記保持部は、後側に窪んだ段状に形成されていることを特徴とする請求項１に記載の軒樋吊具。
【発明の詳細な説明】
【技術分野】
【０００１】
本発明は、家屋の軒先に設置される軒樋を支える軒樋吊具に関する。
【背景技術】
【０００２】
従来、家屋の軒先に設置される軒樋は、家屋の軒先に設けられている鼻隠し板等の設置箇所に取り付けられている。軒樋の設置される鼻隠し板は、屋根面に対して直交するように、すなわち野地板に対して直交するように設けられている。したがって、軒樋の設置される鼻隠し板の面は、鉛直面に対して屋根の勾配に対応した傾斜角を有することになる。このような傾斜を有する鼻隠し板に対して水平を保って軒樋を設置するには、軒樋又はこれを支える軒樋吊具、あるいはこれら両方に、軒樋をほぼ水平に保持するための機構を備える必要がある。
【０００３】
特許文献１には、上述のような傾斜角を有する鼻隠し板に設置される軒樋の例が示されている。この特許文献１に示されている軒樋は、鼻隠し板に固定される基部の上部に、前方へ突出した前側支持片を設けるとともに、その基部の下部に、後方へ突出した後側支持片を設けた樋支持具を備えている。そして、前側支持片には、断面がほぼ半円形の軒樋の一方側に設けられている内折れた係合部を係合させ、上記後側支持片には、その軒樋の他方側に設けられている内折れた係合部を係合させるようにしている。
【０００４】
また、特許文献２に示されている軒樋は、軒樋に上部屋外側耳と、その上部屋外側耳より低い位置に下部屋外側耳とが設けられ、またその軒樋には、屋内側耳が設けられている。そして、その屋内側耳は、鼻隠し板に固定される軒樋吊り具に回動自在に係止され、その軒樋吊り具の先端に設けられている屋外側耳保持部は、上部屋外側耳又は下部屋外側耳に選択的に係止されるように構成されている。
【先行技術文献】
【特許文献】
【０００５】
【特許文献１】特許第４８９８３５０号公報
【特許文献２】特開平８−１７０４１１号公報
【発明の概要】
【発明が解決しようとする課題】
【０００６】
しかしながら、上記特許文献１に示される軒樋は、軒樋及び樋支持具が鼻隠し板の傾斜角に応じて変化する形式でないために、鼻隠し板の傾斜角が大きい場合は、軒樋を水平に保てなくなるおそれがあり、多くの傾斜角に対応しようとすると、複数種の軒樋や樋支持具を用意する必要があった。
また、上記特許文献２に示される軒樋は、鼻隠し板の傾斜角が大きくなると、軒樋吊り具が軒樋の底近くに位置して水流の障害なり、これを回避するためには、複数種の軒樋や樋支持具を用意する必要があった。
【０００７】
本発明は、上述する問題点に鑑みてなされたもので、軒樋の設置箇所の多くの傾斜角に対応することができる軒樋吊具を提供することを目的とする。
【課題を解決するための手段】
【０００８】
上記目的を達成するため、本発明に係る軒樋吊具では、家屋の軒先に設置され、軒樋前耳部と軒樋後耳部とを有する軒樋を支える軒樋吊具であって、前記軒先から外方に向けて突出するように延在する吊具本体と、該吊具本体の前記家屋の屋外側の前端に位置するとともに、前記軒樋の軒樋前耳部を係止する吊り部と、前記吊具本体の後側に位置し、かつ上下方向に配置され、前記軒樋の軒樋後耳部を係合する複数の保持部と、を備えることを特徴としている。
【０００９】
本発明に係る軒樋吊具は、吊具本体の保持部が上下方向に複数形成されているので、吊具本体の吊り部を家屋の鼻隠し板等の設置箇所の傾斜に対応させて係止させて、軒樋を水平に保持させることができる。したがって、単一の軒樋吊具で、傾斜角が異なる多くの設置箇所に対応することができる。
【００１０】
また、本発明に係る軒樋吊具は、前記保持部は、前側に窪んだ段状に形成されていることが好ましい。
【００１１】
この場合には、保持部が前側に窪んだ段状に形成されているので、軒樋後耳部が軒樋の内側に設けられている軒樋を効果的に支持することができる。
【００１２】
また、本発明に係る軒樋吊具は、前記保持部からさらに後側に所定の距離を保った位置には、当該保持部に対向し、かつ前記吊具本体から下向きに突出した押え片が設けられていることが好ましい。
【００１３】
この場合には、保持部に隣接して押え片が設けられているので、保持部に係合された軒樋の軒樋後耳部の脱落を効果的に阻止することができる。
【００１４】
また、本発明に係る軒樋吊具は、前記保持部は、後側に窪んだ段状に形成されていることが好ましい。
【００１５】
この場合には、軒樋後耳部が軒樋外に設けられている軒樋において、その軒樋後耳部に対して外側から保持部を係合させることで、軒樋を外吊り方式による軒樋吊具で効果的に支えることができる。
【発明の効果】
【００１６】
本発明の軒樋吊具によれば、軒樋の設置箇所の多くの傾斜角に対応することができる効果を奏する。
【図面の簡単な説明】
【００１７】
【図１】本発明の第１の実施の形態による軒樋吊具の構成を示す正面図である。
【図２】（ａ）は図１のＸ１−Ｘ１線拡大断面図、（ｂ）は図１のＸ２−Ｘ２線拡大断面図である。
【図３】軒樋吊具に支持される軒樋の正面図である。
【図４】（ａ）〜（ｃ）は、傾斜角の異なる鼻隠し板に軒樋吊具を用いて軒樋を設置した状態を示す説明図である。
【図５】第２の実施の形態による軒樋吊具の構成を示す正面図である。
【図６】（ａ），（ｂ）は、傾斜角の異なる鼻隠し板に軒樋吊具を用いて軒樋を設置した状態を示す説明図である。
【発明を実施するための形態】
【００１８】
以下、本発明の実施の形態による軒樋吊具について、図面に基づいて説明する。
【００１９】
（第１の実施の形態）
図１に示される軒樋吊具Ｈは、ポリカーボネート製の吊具本体１と取付体１０とを含んで構成され、軒樋Ｔ（図３参照）を内側から吊り支持する内吊り方式の軒樋吊具であり、ブラケット正面打（吊）自在式と称される軒樋吊具に属している。なお、ここでは、軒樋吊具Ｈは、家屋の軒先を構成する鼻隠し板Ｐに取り付けられる例で説明する。
【００２０】
吊具本体１は、中央部分の上面が窪んだ所定厚さを有する長尺状を呈している。そして、その吊具本体１の長手方向で鼻隠し板Ｐから外方に向けて突出する方向の前側には、後述する軒樋Ｔの軒樋前耳部３４（図３参照）を係止する上方に突出した爪状の吊り部２が設けられている。
なお、図１に示す軒樋吊具Ｈ及び図３に示す軒樋Ｔにおいて、紙面左側の屋外側を前方、前側といい、紙面右側の屋内側を後方、後側という。また、吊具本体１において、鼻隠し板Ｐより離反する方向を長手方向という。
【００２１】
吊具本体１の吊り部２の下側には、上下２段に上段突起部３Ａ、下段突起部３Ｂがそれぞれ一体的に設けられている。これら突起部３Ａ、３Ｂの先端位置は、吊り部２の先端位置よりも少し後側（図１で右側）に位置するように決められている。
【００２２】
吊具本体１の長手方向の後側には、吊り部２の位置よりも少し下方の位置に、後述する軒樋Ｔの軒樋後耳部３５（図３参照）を係合し、前側に窪んで形成された段状の保持部４が設けられている。この保持部４は、上下２段に上段保持部４Ａ、下段保持部４Ｂにより形成されている。これら保持部４Ａ、４Ｂのうち、上段保持部４Ａの段の深さは、下段保持部４Ｂよりも深くなるように決められている。
【００２３】
吊具本体１の後側で、かつ、保持部４からさらに後側に所定の距離を保った位置には、その保持部４に対向し、かつ、下向きに突出した押え片５が一体的に設けられている。この押え片５と保持部４との間隔は、その保持部４に保持された後述する軒樋Ｔの軒樋後耳部３５（図３参照）が不用意に外れないように決められている。
【００２４】
吊具本体１の長手方向の中央部分の窪んだ部分には、その長手方向に伸びる長孔６が形成されている。この長孔６の孔径は、後述するボルト２０が移動できる大きさに形成され、その長さは吊具本体１の張出し寸法となるように設定されていて、具体的には１０〜４５ｍｍの範囲とされる。
【００２５】
取付体１０は、取付部１１と、前下がり部１２と、傾斜部１３と、連結部１４とが長手方向でこの順に配置され、これらは一体的に形成されている。
【００２６】
取付部１１は、扁平状に形成されていて、所定の間隔を保って設けられている複数（図２（ｂ）の例では３個）のビス穴１５を介して家屋の鼻隠し板Ｐに固定できるように構成されている。
【００２７】
前下がり部１２は、取付部１１の上部中央部からその取付部１１が鼻隠し板Ｐに取り付けられた状態で、屋外側にほぼ水平状に突出するように設けらる。
傾斜部１３は、前下がり部１２の先端側から下向きに傾斜し、吊具本体１の窪みの底に達するように設けられている。
連結部１４は、傾斜部１３の先端部から水平方向に少し突出するようにして形成されている。この連結部１４には、厚さ方向に貫通する貫通孔１６が設けられている。この貫通孔１６は、後述するボルト２０の軸部が貫通され、そのボルト頭部が通過できない大きさに形成されている（図２（ａ）参照）。
【００２８】
一体的に形成されている前下がり部１２、傾斜部１３及び連結部１４の下面の長手方向には、吊具本体１の幅寸法よりも少し大きい幅を有するとともに、その吊具本体１の上部部分を嵌合可能な溝条１７が形成されている。そのため、吊具本体１は、その吊具本体１の窪み部分及び屋内側の上面側の一部分を溝条１７に挿入した状態を保って移動することができる。
【００２９】
上述のように構成される吊具本体１及び取付体１０は、吊具本体１の窪み部分及び屋内側の上面側の一部分を取付体１０の溝条１７に挿入した状態で、連結部１４の貫通孔１６の上からボルト２０を挿入し、その挿入したボルト２０の吊具本体１から突出した部分に蝶ナット２１を螺合することにより組み立てられる。これにより、吊具本体１と取付体１０とが一体化されて軒樋吊具Ｈが得られる。
【００３０】
吊具本体１の張出し寸法の調整は、蝶ナット２１を緩めて溝条１７内の吊具本体１の位置を変化させることにより行われる。したがって、上述のように構成される吊具本体１及び取付体１０からなる軒樋吊具Ｈは、周知のブラケット正面打（吊）自在式の軒樋吊具と同様に、雨水の落下状態に合わせた張出し寸法を容易に調整することができる。
【００３１】
次に、図３を用いて軒樋Ｔについて説明する。
軒樋Ｔは、合成樹脂製からなる軒樋本体３０で構成されている。
軒樋本体３０は、底面壁３１と、その底面壁３１の一端側（図示の例では左側）から上方に一体的に突出して形成されている前側に位置する前壁３２と、その底面壁３１の他端側（図示の例では右側）から上方に一体的に突出して形成されている後側に位置する後壁３３とからなり、上方が開放されたコ字状を呈している。
【００３２】
前壁３２の高さは、後壁３３より少し高く形成されていて、その前壁３２の内側上部には、軒樋前耳部３４がその前壁３２と一体的に設けられている。この軒樋前耳部３４は、上段前耳部３４Ａ及び下段前耳部３４Ｂの上下２段に構成されている。これら前耳部３４Ａ、３４Ｂは、軒樋吊具Ｈの吊具本体１に設けられている吊り部２が嵌合できるように形成されている。
【００３３】
上段前耳部３４Ａ及び下段前耳部３４Ｂは、それぞれ軒樋吊具Ｈの吊り部２を下方から受ける受け部３４ａと、吊り部２を上側から係止する押え部３４ｂと、を有している。これら受け部３４ａと押え部３４ｂは、前壁３２において上下方向に交互に連続的に配置されている。そして、本実施の形態では、上段前耳部３４Ａの受け部３４ａと、下段前耳部３４Ｂの押え部３４ｂとが両方の機能を有するように一体的に設けられた共有部３４Ｃを構成している。つまり、この共有部３４Ｃは、上段前耳部３４Ａに吊り部２が係合される際には受け部３４ａとして機能し、下段前耳部３４Ｂに吊り部２が係合される際には押え部３４ｂとして機能する。
【００３４】
後壁３３の内側上部には、軒樋後耳部３５がその後壁３３と一体的に設けられている。
軒樋後耳部３５は、軒樋吊具Ｈの吊具本体１に設けられている保持部４の上段保持部４Ａ及び下段保持部４Ｂのいずれか一方に挿入できるように形成されている。
【００３５】
前壁３２に設けられる上段前耳部３４Ａ及び下段前耳部３４Ｂと、後壁３３に設けられる軒樋後耳部３５との配置関係は、軒樋吊具Ｈの吊具本体１に設けられている吊り部２、上段保持部４Ａ及び下段保持部４Ｂとの接合関係により、常に軒樋Ｔの底面壁３１がほぼ水平状態になるように決められている。この接合関係は、以下の図４（ａ）〜（ｃ）の説明により明らかになる。
【００３６】
図４（ａ）〜（ｃ）は、それぞれ傾斜角の異なる鼻隠し板Ｐに軒樋吊具Ｈを用いて軒樋Ｔを設置した状態を示している。これら図４（ａ）〜（ｃ）において、２点鎖線は、家屋の屋根の傾斜がそれぞれ異なることを示していて、図４（ａ）に示される屋根勾配は４／１０のいわゆる４寸屋根勾配、図４（ｂ）は、屋根勾配が５／１０のいわゆる５寸屋根勾配、そして、図４（ｃ）は、屋根勾配が６／１０のいわゆる６寸屋根勾配を示している。以下、屋根勾配毎に説明する。
【００３７】
［４／１０屋根勾配（４寸屋根勾配；図４（ａ））］
この４／１０屋根勾配の場合は、上段前耳部３４Ａに吊り部２が係合され、軒樋後耳部３５が上段保持部４Ａに係合される。この状態において、軒樋Ｔの底面壁３１が水平状態に保たれる。
【００３８】
上段前耳部３４Ａに係合された吊り部２は、その吊り部２の下方に設けられている上段突起部３Ａがその上段前耳部３４Ａの下部部分の受け部３４ａに当接されるとともに、上側部分の押え部３４ｂによって支持されて係合状態が強化される。
また、上段保持部４Ａに挿入されて係合された軒樋後耳部３５は、その軒樋後耳部３５の屋内側が押え片５に当接されるので、上段保持部４Ａからの不用意な脱落が阻止される。なお、上段前耳部３４Ａと吊り部２との係合、及び軒樋後耳部３５と上段保持部４Ａとの係合は、軒樋Ｔが可撓性を有するとともに、押え片５も可撓性を有しているので簡単に行うことができる。
【００３９】
［５／１０屋根勾配（５寸屋根勾配；図４（ｂ））］
この５／１０屋根勾配の場合は、上段前耳部３４Ａに吊り部２が係合され、軒樋後耳部３５が下段保持部４Ｂに係合される。この状態において、軒樋Ｔの底面壁３１が水平状態に保たれる。
【００４０】
上段前耳部３４Ａに係合された吊り部２は、その吊り部２の下方に設けられている上段突起部３Ａ及び下段突起部３Ｂがその上段前耳部３４Ａの下部部分の受け部３４ａに当接されるとともに、上側部分の押え部３４ｂによって支持されて係合状態が強化される。
また、下段保持部４Ｂに挿入されて係合された軒樋後耳部３５は、その軒樋後耳部３５の屋内側が押え片５に当接されるので、下段保持部４Ｂからの不用意な脱落が阻止される。なお、上段前耳部３４Ａと吊り部２との係合、及び軒樋後耳部３５と下段保持部４Ｂとの係合は、軒樋Ｔが可撓性を有するとともに、押え片５も可撓性を有しているので簡単に行うことができる。
【００４１】
［６／１０屋根勾配（６寸屋根勾配；図４（ｃ））］
この６／１０屋根勾配の場合は、下段前耳部３４Ｂに吊り部２が係合され、軒樋後耳部３５が上段保持部４Ａに係合される。この状態において、軒樋Ｔの底面壁３１が水平状態に保たれる。
【００４２】
下段前耳部３４Ｂに係合された吊り部２は、その吊り部２の下方に設けられている上段突起部３Ａがその下段前耳部３４Ｂの下部部分の受け部３４ａに当接されるとともに、上側部分の押え部３４ｂによって支持されて係合状態が強化される。
また、上段保持部４Ａに係合された軒樋後耳部３５は、上段保持部４Ａの奥深くに挿入され係合されているので、上段保持部４Ａからの不用意な脱落が阻止される。なお、下段前耳部３４Ｂと吊り部２との係合、及び軒樋後耳部３５と上段保持部４Ａとの係合は、軒樋Ｔが可撓性を有するとともに、押え片５も可撓性を有しているので簡単に行うことができる。
【００４３】
以上説明した軒樋吊具によれば、以下の作用効果を奏する。
すなわち、図１に示すように、上記構成からなる軒樋吊具Ｈでは、吊具本体１の保持部４が上下２段に上段保持部４Ａ、下段保持部４Ｂにより形成されているので、軒樋Ｔの軒樋後耳部３５を鼻隠し板Ｐの傾斜に対応させて上段保持部４Ａ又は下段保持部４Ｂに係合させることができる。したがって、単一の軒樋吊具Ｈで多くの傾斜角の鼻隠し板Ｐに適用させることができる。
【００４４】
また、上述の４／１０屋根勾配（４寸屋根勾配）及び５／１０屋根勾配（５寸屋根勾配）の場合は、軒樋前耳部３４の下段前耳部３４Ｂは使用されないので、軒樋前耳部３４が上段前耳部３４Ａのみからなる従来の軒樋を使用することもできる。
【００４５】
（第２の実施の形態）
次に、図５及び図６（ａ），（ｂ）を用いて本発明の他の実施の形態に係る軒樋吊具Ｈ１について説明する。これら図において、上述した第１の実施の形態と同一の構成要素には同一の符号が付されている。また、第１の実施の形態の構成要素と同一の機能を有する構成要素には、１桁又は２桁の数字が同一となる１００番台の符号が付されている。したがって、第１の実施の形態と同一の構成要素についての説明は省略する。
【００４６】
図５に示すように、吊具本体１０１は、中央部分の上面が窪んだ所定厚さを有する長尺状を呈している。そして、吊具本体１０１の長手方向の一端側には、図６に示す軒樋Ｔ１の軒樋前耳部１３４を係止する上方に突出した爪状の吊り部１０２が設けられている。
【００４７】
吊具本体１０１の後側には、吊り部１０２の位置よりも少し下方の位置に、軒樋Ｔ１の軒樋後耳部１３５を係合する、後側に窪んで形成された段状の保持部１０４が設けられている。保持部１０４は、上下２段に上段保持部１０４Ａ、下段保持部１０４Ｂにより形成されている。
【００４８】
吊具本体１０１の後側で、かつ保持部１０４からさらに前側に所定の距離を保った位置には、その保持部１０４に対向するように突出した押え片１０５が一体的に設けられている。この押え片１０５と保持部１０４との間隔は、その保持部１０４に保持された軒樋Ｔ１の軒樋後耳部１３５が不用意に外れないように決められている。
【００４９】
吊具本体１０１の長手方向の中央部分の窪んだ部分には、その長手方向に伸びる長孔１０６が設けられている。長孔１０６の孔径は、ボルト２０が移動できる大きさに形成され、その長さは吊具本体１０１の出寸法となるように決められていて、具体的には１０〜４５ｍｍの範囲とされ、図示の例では４５ｍｍとされている。
【００５０】
図６（ａ），（ｂ）は、それぞれ傾斜角の異なる鼻隠し板Ｐに軒樋吊具Ｈ１を用いて軒樋Ｔ１を設置した状態を示している。これら図６（ａ），（ｂ）において、２点鎖線は、家屋の屋根の傾斜がそれぞれ異なることを示していて、図６（ａ）に示される屋根勾配は４／１０のいわゆる４寸屋根勾配、図６（ｂ）は、屋根勾配が６／１０のいわゆる６寸屋根勾配を示している。
【００５１】
軒樋吊具Ｈ１に支えられる軒樋Ｔ１は、後耳部が外側に設けられている周知の合成樹脂製の軒樋と同様に構成されている。すなわち、軒樋Ｔ１の軒樋本体１３０は、底面壁１３１の一端側（図示の例では左側）から上方に一体的に突出して形成されている前側に位置する前壁１３２を有していて、その上部外側には軒樋前耳部１３４が設けられている。そして、その底面壁１３１の他端側（図示の例では右側）から上方に一体的に突出して形成されている後側に位置する後壁１３３の上部外側には、軒樋後耳部１３５が設けられている。以下、軒樋吊具Ｈ１に支えられる軒樋Ｔ１について屋根勾配毎に説明する。
【００５２】
［４／１０屋根勾配（４寸屋根勾配；図６（ａ））］
この４／１０屋根勾配の場合は、軒樋前耳部１３４に吊り部１０２が係合され、軒樋後耳部１３５が上段保持部１０４Ａに係合される。この状態において、軒樋Ｔ１の底面壁１３１が水平状態に保たれる。
【００５３】
上段保持部１０４Ａに挿入されて係合された軒樋後耳部１３５は、その軒樋後耳部１３５の屋外側が押え片１０５に接近しているので、上段保持部１０４Ａからの不用意な脱落が阻止される。なお、軒桶前耳部１３４と吊り部１０２との係合、及び軒樋後耳部１３５と上段保持部１０４Ａとの係合は、軒樋Ｔ１が可撓性を有するとともに、押え片１０５も可撓性を有しているので簡単に行うことができる。
【００５４】
［６／１０屋根勾配（６寸屋根勾配；図６（ｂ））］
この６／１０屋根勾配の場合は、軒樋前耳部１３４に吊り部１０２が係合され、軒樋後耳部１３５が下段保持部１０４Ｂに係合される。この状態において、軒樋Ｔ１の底面壁１３１が水平状態に保たれる。
【００５５】
下段保持部１０４Ｂに挿入されて係合された軒樋後耳部３５は、その軒樋後耳部１３５の後側が押え片５に近接されるので、下段保持部１０４Ｂからの不用意な脱落が阻止される。なお、軒樋前耳部１３４と吊り部１０２との係合、及び軒樋後耳部１３５と下段保持部１０４Ｂとの係合は、軒樋Ｔ１が可撓性を有するとともに、押え片１０５も可撓性を有しているので簡単に行うことができる。
【００５６】
上記構成からなる軒樋吊具Ｈ１は、吊具本体１０１の保持部１０４が上下２段に上段保持部１０４Ａ、下段保持部１０４Ｂにより形成されているので、軒樋Ｔ１の軒樋後耳部１３５を鼻隠し板Ｐの傾斜に対応させて上段保持部１０４Ａ又は下段保持部１０４Ｂに係合させることができる。したがって、単一の軒樋吊具Ｈ１で多くの傾斜角の鼻隠し板Ｐに適用させることができる。
【００５７】
以上、本発明による軒樋及び軒樋システムの実施の形態について説明したが、本発明は上記の実施の形態に限定されるものではなく、その趣旨を逸脱しない範囲で適宜変更可能である。
例えば、上述の本実施の形態では、保持部４、１０４は、共有部３４Ｃ上段保持部４Ａ、１０４Ａ及び下段保持部４Ｂ、１０４Ｂの２段としたが、保持部４、１０４を３段以上とすることもできる。このように保持部４、１０４を３段以上とした場合には、最上段の押え部よりも下方で、且つ最下段の受け部よりも上方の位置において、受け部と押え部とが一体的に設けられているので、軒樋後耳部３５、１３５の上下方向の間隔を小さくして配置することができる。
また、第１の実施の形態で軒樋前耳部３４は、上段前耳部３４Ａ及び下段前耳部３４Ｂの２段としたが、軒樋前耳部３４を３段以上とすることもできる。
【００５８】
さらに、上述した実施の形態では、軒樋吊具Ｈ、Ｈ１は、吊具本体１、１０１が取付体１０に対して移動する自在式としたが、吊具本体１、１０１と取付体１０とが一体化された固定式とすることもできる。
【００５９】
その他、本発明の趣旨を逸脱しない範囲で、上記した実施の形態における構成要素を周知の構成要素に置き換えることは適宜可能である。
【符号の説明】
【００６０】
１、１０１  吊具本体
２、１０２  吊り部
３Ａ  上段突起部
３Ｂ  下段突起部
４、１０４  保持部
４Ａ、１０４Ａ  上段保持部
４Ｂ、１０４Ｂ  下段保持部
５、１０５  押え片
６、１０６  長孔
１０  取付体
１１  取付部
１２  前下がり部
１３  傾斜部
１４  連結部
１６  貫通孔
１７  溝条
３０、１３０  軒樋本体
３１、１３１  底面壁
３２、１３２  前壁
３３、１３３  後壁
３４、１３４  軒樋前耳部
３４Ａ  上段前耳部
３４Ｂ  下段前耳部
３４Ｃ  共有部
３４ａ  受け部
３４ｂ  押え部
３５、１３５  軒樋後耳部
Ｈ、Ｈ１  軒樋吊具
Ｔ、Ｔ１  軒樋
Ｐ  鼻隠し板
【図１】
2015183494.tif 000003
【図２】
2015183494.tif 000004
【図３】
2015183494.tif 000005
【図４】
2015183494.tif 000006
【図５】
2015183494.tif 000007
【図６】
2015183494.tif 000008